(57)【要約】【課題】光源部を所定の向きで装着するソケットを備えた照明器具において、複数の照明器具を設置する場合に、容易にソケット同士の向きを揃える。【解決手段】照明器具１は、光源部２と、光源部２を所定の向きで装着するソケット３と、を備える。ソケット３は、ソケット３を所定の向きに配向させる一対の配向部４１、４２を有する。配向部４１、４２は、紐状の紐部４１ａ、４２ａと、他の配向部４２、４１と接続する接続部４１ｂ、４２ｂと、を有する。複数のソケット３が所定間隔毎に配置され、隣り合うソケット３の接続部４１ｂ、４２ｂが接続されたときに、隣り合うソケット３の紐部４１ａ、４２ａは、一直線上に配置される。この構成によれば、配向部４１、４２によりソケット３の向きが規制されるので、複数の照明器具１を設置する場合に、容易にソケット３同士の向きを揃えることができる。【選択図】図１
2016058202.tif 000002
【特許請求の範囲】
【請求項１】
光源部と、前記光源部を所定の向きで装着するソケットと、を備えた照明器具であって、
前記ソケットは、平板状に形成され、その側部の相対する二端部にそれぞれ設けられ該ソケットを所定の向きに配向させるための一対の配向部を有し、
前記一対の配向部は、前記ソケットから導出され紐状に形成された紐部と、前記紐部の端部に設けられ他の前記配向部との接続に用いられる接続部と、をそれぞれ有し、
複数の前記ソケットが所定間隔毎に配置され、隣り合う前記ソケットの前記接続部同士が接続されたときに、隣り合う前記ソケットの前記紐部同士は、一直線上に配置されることを特徴とする照明器具。
【請求項２】
前記紐部は、弾性を有し伸長可能となっていることを特徴とする請求項１に記載の照明器具。
【請求項３】
前記接続部は、釣り針状に形成されたフックにより構成されていることを特徴とする請求項１又は請求項２に記載の照明器具。
【請求項４】
前記一対の配向部において、一方の前記接続部は、オス型コネクタにより構成され、他方の前記接続部は、前記オス型コネクタと接続されるメス型コネクタにより構成されていることを特徴とする請求項１又は請求項２に記載の照明器具。
【請求項５】
前記ソケットは、前記一対の配向部に対して９０度角度を隔てて設けられたもう一対の配向部を更に有することを特徴とする請求項１乃至請求項４のいずれか一項に記載の照明器具。
【請求項６】
前記ソケットは、前記光源部と相対して該光源部が装着される装着面と、前記装着面とは反対側に配置され施工面に固定される設置面と、前記設置面を含み箱状に形成されたソケットカバーと、前記装着面を含み前記ソケットカバーを覆うように設けられたソケットボディと、前記装着面及び前記設置面を貫通して設けられ前記ソケットを施工面に固定するためのネジと、を有し、
前記ソケットボディは、前記ソケットの厚み方向に沿って前記ソケットカバーに対してスライド可能となっていることを特徴とする請求項１乃至請求項５のいずれか一項に記載の照明器具。
【請求項７】
前記ソケットは、前記装着面と前記設置面とが互いに離れる方向に前記ソケットカバー及び前記ソケットボディを付勢するバネを更に有することを特徴とする請求項６に記載の照明器具。
【請求項８】
前記ネジは、前記装着面及び前記設置面の中心を貫通し、
前記バネは、複数設けられ、
複数の前記バネの付勢力は、前記ソケットの中心において釣り合っていることを特徴とする請求項７に記載の照明器具。
【請求項９】
前記光源部は、平板状に形成され、前記ソケットと相対して該ソケットに取り付けられる取付面と、前記取付面に立設され前記ソケットとの電気的接続に用いられる端子と、を更に有し、
前記ソケットは、該ソケットに前記光源部が装着されたときに前記端子と電気的に接続される端子受け部を有し、
前記端子受け部は、前記バネにより前記装着面の方に押圧されていることを特徴とする請求項７又は請求項８に記載の照明器具。
【請求項１０】
前記バネは、電気絶縁材料により構成されていることを特徴とする請求項９に記載の照明器具。
【請求項１１】
前記ソケットカバーは、その外側面に凸設された突起を有し、
前記ソケットボディは、その内側面に前記ソケットの厚み方向に沿って互いに並んで設けられ前記突起を係止する複数の係止部を有することを特徴とする請求項６に記載の照明器具。
【請求項１２】
前記端子は、前記光源部の陽極及び陰極と接続された陽極端子及び陰極端子を有し、
前記端子受け部は、前記陽極端子及び前記陰極端子と接続される陽極受け部及び陰極受け部を有し、
前記陽極受け部及び前記陰極受け部は、前記装着面の中心を中心とする円に沿った形状となっていることを特徴とする請求項９に記載の照明器具。
【請求項１３】
前記陽極受け部及び前記陰極受け部は、前記装着面の中心を中心とする第１の円に沿った形状となっていることを特徴とする請求項１２に記載の照明器具。
【請求項１４】
前記陽極受け部及び前記陰極受け部の一方は、前記装着面の中心を中心とする第１の円に沿った形状となっており、他方は、前記第１の円の同心円に沿った形状となっていることを特徴とする請求項１２に記載の照明器具。
【請求項１５】
前記陽極受け部及び前記陰極受け部は、前記装着面の中心を挟んで配置されていることを特徴とする請求項１３又は請求項１４に記載の照明器具。
【請求項１６】
前記光源部は、平面視において正方形状に形成され、
前記端子は、前記取付面の四隅のうち少なくとも二隅に設けられ、
前記端子受け部は、前記装着面において互いに９０度又は１８０度毎に複数設けられていることを特徴とする請求項９に記載の照明器具。
【請求項１７】
前記ソケットは、円板状に形成され、
複数の前記端子受け部は、前記ソケットの中心から見たときに９０度毎に設けられていることを特徴とする請求項１６に記載の照明器具。
【請求項１８】
前記ソケットは、円板状に形成され、
複数の前記端子受け部は、前記ソケットの中心から見たときに１８０度毎に設けられていることを特徴とする請求項１６に記載の照明器具。
【請求項１９】
前記ソケットは、半円板状に形成され、
複数の前記端子受け部は、前記ソケットの各半径から４５度角度を隔てて設けられていることを特徴とする請求項１６に記載の照明器具。
【請求項２０】
前記ソケットが取り付けられる取付台を更に備えたことを特徴とする請求項１６乃至請求項１９のいずれか一項に記載の照明器具。
【発明の詳細な説明】
【技術分野】
【０００１】
本発明は、有機ＥＬ素子を光源とする照明器具に関する。
【背景技術】
【０００２】
有機ＥＬ素子は、低電圧で高輝度の発光が可能であり、また、含有する有機化合物の種類によって様々な発光色を与える面発光体である。このような有機ＥＬ素子を光源とする照明器具として、有機ＥＬ素子を有し矩形平板状に形成された光源部と、この光源部に相対して配置され該光源部を所定の向きで装着するソケットと、を備えたものが知られている（例えば、特許文献１参照）。
【先行技術文献】
【特許文献】
【０００３】
【特許文献１】特開２０１４−１０３１００号公報
【発明の概要】
【発明が解決しようとする課題】
【０００４】
上述したような照明器具を天井面や壁面等の施工面に取り付けるときには、まず、ソケットを施工面に固定し、次いで、ソケットに光源部を装着する。このとき、ソケットは光源部を所定の向きで装着するので、光源部の向きを揃えて複数の照明器具を設置する場合には、ソケット同士の向きを揃える必要がある。そのため、ソケットの施工面への固定に大きな手間がかかる。
【０００５】
本発明は、上記課題を解決するものであって、光源部を所定の向きで装着するソケットを備えた照明器具において、複数の照明器具を設置する場合に、容易にソケット同士の向きを揃えることができる照明器具を提供することを目的とする。
【課題を解決するための手段】
【０００６】
本発明の照明器具は、光源部と、前記光源部を所定の向きで装着するソケットと、を備え、前記ソケットは、平板状に形成され、その側部の相対する二端部にそれぞれ設けられ該ソケットを所定の向きに配向させるための一対の配向部を有し、前記一対の配向部は、前記ソケットから導出され紐状に形成された紐部と、前記紐部の端部に設けられ他の前記配向部との接続に用いられる接続部と、をそれぞれ有し、複数の前記ソケットが所定間隔毎に配置され、隣り合う前記ソケットの前記接続部同士が接続されたときに、隣り合う前記ソケットの前記紐部同士は、一直線上に配置されることを特徴とする。
【発明の効果】
【０００７】
本発明によれば、配向部によりソケットの向きが規制されるので、複数の照明器具を設置する場合に、容易にソケット同士の向きを揃えることができる。
【図面の簡単な説明】
【０００８】
【図１】本発明の第１の実施形態に係る照明器具をソケット側から見た分解斜視図。
【図２】上記照明器具を光源部側から見た分解斜視図。
【図３】上記照明器具を構成する配向部の斜視図。
【図４】上記配向部の変形例を示す斜視図。
【図５】（ａ）（ｂ）は、上記照明器具をマトリクス状に配置するときの様子を示す平面図。
【図６】上記実施形態の変形例に係る照明器具をマトリクス状に配置するときの様子を示す平面図。
【図７】本発明の第２の実施形態に係る照明器具を構成するソケットの分解斜視図。
【図８】（ａ）（ｂ）は、上記ソケットを構成する陽極受け部を示す図。
【図９】（ａ）（ｂ）は、上記ソケットを構成するソケットカバーとソケットボディとの係合を示す断面図。
【図１０】上記ソケットボディの斜視図。
【図１１】上記ソケットの厚みを調整するときの様子を示す断面図。
【図１２】上記実施形態の変形例に係る照明器具を構成するソケットカバーとソケットボディとの係合を示す断面図。
【図１３】本発明の第３の実施形態に係る照明器具を光源部側から見た分解斜視図。
【図１４】上記照明器具をソケット側から見た分解斜視図。
【図１５】上記ソケットの平面図。
【図１６】上記光源部の平面図。
【図１７】上記ソケットを構成する陽極受け部と陽極端子との接続を示す図。
【図１８】（ａ）（ｂ）は、上記ソケットに設けられた保持部と光源部に設けられた係合部との係合を示す断面図。
【図１９】複数の上記照明器具をマトリクス状に配置したときの様子を示す平面図。
【図２０】（ａ）（ｂ）は、上記実施形態の変形例に係る照明器具を構成するソケットの平面図。
【図２１】（ａ）は上記実施形態の別の変形例に係る照明器具を構成する光源部の平面図、（ｂ）は同照明器具を構成するソケットの平面図。
【図２２】本発明の第４の実施形態に係る照明器具を構成する光源部の平面図。
【図２３】（ａ）乃至（ｃ）は、上記照明器具を構成するソケットの平面図。
【図２４】複数の上記光源部をソケットにより互いに接続した様子を示す平面図。
【図２５】上記ソケットが取り付けられる取付台の平面図。
【発明を実施するための形態】
【０００９】
本発明の第１の実施形態に係る照明器具について図１乃至図５を参照して説明する。図１及び図２に示すように、照明器具１は、矩形平板状の光源部２と、光源部２に相対して配置された円板状（平板状）のソケット３と、を備える。光源部２は、図例では、一辺の長さをＬとする正方形状に形成され、ソケット３は、その直径がＬよりも小さくなるように形成されている。光源部２及びソケット３は、各々の中心が一致するようにして配置されている。
【００１０】
光源部２は、ソケット３と相対してソケット３に取り付けられる取付面２Ａと、取付面２Ａとは反対側に配置され光を出射する光出射面２Ｂと、を有する。また、光源部２は、矩形平板状に形成された有機ＥＬ素子２１と、有機ＥＬ素子２１の陽極及び陰極（不図示）と接続された陽極端子２２及び陰極端子２３と、光源部２のソケット３への係合に用いられる一対の係合部２４、２５と、を有する。係合部２４、２５は、光源部２の一の辺と平行な方向Ｘに沿って相対した状態で取付面２Ａの中央に立設され、各々の相対する面にソケット３の保持爪７４、７５（後述参照）と係合する係合爪２４ａ、２５ａを有する。陽極端子２２及び陰極端子２３は、共に平歯状に形成され、方向Ｘに直交して取付面２Ａと平行な方向Ｙに沿って相対した状態で取付面２Ａの中央に立設されている。
【００１１】
ソケット３は、光源部２と相対して光源部２が装着される装着面３Ａと、装着面３Ａとは反対側に配置され天井面や壁面等の施工面に固定される設置面３Ｂと、を有する。また、ソケット３は、ソケット３を施工面にネジ止め固定するためのネジ３０と、ソケット３を所定の向きに配向させるための一対の配向部４１、４２と、を有する。ネジ３０は、ソケット３の中心に設けられた貫通穴３１を通って、装着面３Ａ側から挿通されている。
【００１２】
配向部４１、４２は、ソケット３の側部において方向Ｘにおける相対する二端部３２、３３にそれぞれ設けられている。配向部４１、４２は、ソケット３から導出され紐状に形成された紐部４１ａ、４２ａと、紐部４１ａ、４２ａの端部に設けられ他の配向部４２、４１との接続に用いられる接続部４１ｂ、４２ｂと、を有する。紐部４１ａ、４２ａは、弾性を有し伸長可能に構成され、各々の長さが光源部２をソケット３に装着したときに端部３２、３３から端部３２、３３に相対する光源部２の辺までの距離と同じ又は該距離よりも短くなるように構成されている。紐部４１ａ、４２ａは、例えば、鎖、スプリング、ゴム又は線材により構成される。
【００１３】
図３に示すように、接続部４１ｂ、４２ｂは、例えば、釣り針状に形成されたフックにより構成され、互いに係合する。なお、図４に示すように、接続部４１ｂ、４２ｂは、それぞれメス型コネクタ及びこのメス型コネクタに接続されるオス型コネクタにより構成されていてもよい。このようなフック構造やコネクタ構造を採用することで、簡単に接続部４１ｂ、４２ｂを構成することができる。
【００１４】
上記のように構成された照明器具１を、光源部２同士を隣接させてマトリクス状に設置するには、図５（ａ）に示すように、まず、ソケット３間の間隔を光源部２の一辺の長さであるＬとして、複数のソケット３を施工面Ｃに対してネジ３０でネジ止め固定する。このとき、ソケット３は、施工面Ｃに対して回転可能となるようにネジ３０によって緩くネジ止めされ、各々のソケット３の向きは、互いに揃っていなくてよい。
【００１５】
次いで、図５（ｂ）に示すように、ソケット３を回転させて、行方向において隣り合うソケット３の接続部４１ｂ、４２ｂを互いに接続すると、これらソケット３の紐部４１ａ、紐部４２ａが一直線上に配置され、ソケット３の向きが揃う。このとき、ソケット３は、その中心においてネジ３０により固定されているので、ソケット３の相対位置は、ソケット３が回転しても変化しない。このようにして間隔Ｌ毎に配置され、且つ向きの揃ったソケット３が得られる。これらソケット３に光源部２を装着することで、光源部２が、互いに隣接して配置される。
【００１６】
上述のように、照明器具１によれば、配向部４１、４２によりソケット３の向きが規制されるので、複数の照明器具１を設置する場合に、各々のソケット３の向きを個別に調整するのに比べて、より容易にソケット３同士の向きを揃えることができる。また、紐部４１ａ、４２ａを伸長可能とすることで、一種類のソケット３でＬ以上のソケット３間の間隔にも対応可能となってソケット３の汎用性を高めることができると共に、接続部４１ｂ、４２ｂの接続操作がやり易くなって操作性を向上させることができる。なお、光源部２は、必ずしも互いに隣接して配置される必要はなく、光源部２間に隙間ができた状態で所定間隔毎に配置されてもよい。
【００１７】
次に、上記実施形態の変形例に係る照明器具について図６を参照して説明する。本照明器具は、上述した照明器具１を基に、ソケット３の形状を変更したものである。本照明器具のソケット３は、配向部４１、４２に対して９０度角度を隔てて設けられたもう一対の配向部４３、４４を有する。配向部４３、４４は、配向部４１、４２と同様に構成され、それぞれ紐部４３ａ、４４ａと、接続部４３ｂ、４４ｂと、を有する。複数のソケット３をマトリクス状に配置したときに、列方向において隣り合うソケット３の接続部４３ｂ、４４ｂは、互いに接続される。このようにすることで、行方向だけでなく列方向においてもソケット３の向きが規制されるので、より確実にソケット３の向きを互いに揃えることができる。
【００１８】
次に、本発明の第２の実施形態に係る照明器具について図７乃至図１１を参照して説明する。なお、図例では、配向部の図示を省略している。上述したような照明器具１を、例えば、段差のある施工面に複数互いに隣接させて設置する場合には、光源部２の光出射面２Ｂが面一にならず、照明器具１の見栄えが悪くなることがある。このような場合、光出射面２Ｂを面一にするには、照明器具１を設置する前に段差を埋めて施工面を均す作業が必要となる。本実施形態の照明器具は、施工面に段差があっても施工面を均す作業を必要とすることなく、光出射面２Ｂを面一にすることができるように構成されている。
【００１９】
図７に示すように、本実施形態のソケット３は、設置面３Ｂを含み円形の箱状に形成されたソケットカバー３４と、装着面３Ａを含みソケットカバー３４を覆う円形の蓋状に形成されたソケットボディ３５と、を有する。また、ソケット３は、装着面３Ａと設置面３Ｂとが互いに離れる方向にソケットカバー３４及びソケットボディ３５を付勢する複数のバネ３６を有する。ネジ３０は、バネ３６の付勢方向に沿って配置されている。
【００２０】
ソケットカバー３４は、外側面の一部に凸設されソケットボディ３５の溝３５ａ（後述参照）に嵌り込む複数の突起３４ａと、内底面に設けられバネ３６を保持する複数のバネ保持部３４ｂと、を有する。バネ３６及びバネ保持部３４ｂは、図例では、それぞれ４つずつ設けられている。４つのバネ保持部３４ｂは、それぞれバネ３６が嵌り込む凹部を有し、貫通穴３１を重心とする四角形の各頂点に配置されている。このようにすることで、バネ３６の付勢力は、ソケット３の中心において釣り合う。
【００２１】
ソケットボディ３５は、その内側面において突起３４ａに対応する位置に凹設された複数の溝３５ａと、溝３５ａのソケットカバー３４側の端部に設けられ突起３４ａと当接する当接部３５ｂと、を有する。溝３５ａは、ソケット３の厚み方向Ｚに沿って設けられている。また、ソケットボディ３５は、装着面３Ａに設けられ光源部２の陽極端子２２及び陰極端子２３の各々が挿通される端子穴３５ｃ、３５ｄと、端子穴３５ｃ、３５ｄに挿通された陽極端子２２及び陰極端子２３と接続される陽極受け部（端子受け部）５及び陰極受け部（端子受け部）６と、を有する。更に、ソケットボディ３５は、陽極受け部５及び陰極受け部６の各々と接続され他のソケット３や外部機器との接続に用いられるコネクタ３５ｅ、３５ｆと、装着面３Ａに設けられ光源部２の係合部２４、２５が嵌め込まれる孔３５ｇ、３５ｈと、を有する。
【００２２】
後述するように、光源部２をソケット３に装着するには、孔３５ｇ、３５ｈに係合部２４、２５を嵌め込むようにして光源部２をソケット３に近づける。このとき、光源部２の陽極端子２２及び陰極端子２３は、端子穴３５ｃ、３５ｄに挿通され、陽極受け部５及び陰極受け部６に接続される。これにより、光源部２の有機ＥＬ素子２１は、陽極端子２２及び陰極端子２３、陽極受け部５及び陰極受け部６そしてコネクタ３５ｅ、３５ｆを介して、他のソケット３に装着された光源部２の有機ＥＬ素子２１や外部機器と接続される。
【００２３】
図８（ａ）（ｂ）に示すように、陽極受け部５は、バネ３６により装着面３Ａの方に押圧されている。なお、図８（ａ）では断面のハッチングを省略している。陽極受け部５は、バネ３６と相対する箇所に凸設されたボス５ａを有する。バネ３６は、電気絶縁材料により構成され、一端がボス５ａに係止され、他端がバネ保持部３４ｂの凹部に嵌め込まれて保持されている。このようにすることで、端子穴３５ｃに光源部２の陽極端子２２が挿通されたときに、確実に陽極端子２２と陽極受け部５とを互いに接触させることができる（図８（ａ）参照）。また、バネ３６が電気絶縁材料により構成されているので、バネ３６を介した短絡等を防止することができる。なお、図示していないが、陰極受け部６も、陽極受け部５と同様に構成されている。
【００２４】
図９（ａ）に示すように、ソケットボディ３５は、溝３５ａに突起３４ａが嵌り込むことで、厚み方向Ｚに沿ってソケットカバー３４に対してスライド可能となっている。このとき、図９（ｂ）に示すように、当接部３５ｂに突起３４ａが当接することで、ソケットボディ３５のソケットカバー３４からの抜け落ちが防止される。
【００２５】
図１０に示すように、ソケットボディ３５は、光源部２を保持するのに用いられる保持部７を更に有する。保持部７は、ソケットボディ３５の中央に設けられネジ３０が挿通される平板状の支持部７１と、支持部７１の方向Ｘにおける相対する二端部に取り付けられ方向Ｘに沿って伸びる一対のバネ７２、７３と、を有する。また、保持部７は、バネ７２、７３の端部に取り付けられ光源部２の係合爪２４ａ、２５ａと係合する保持爪７４、７５を有する。保持爪７４、７５は、ソケットボディ３５の孔３５ｇ、３５ｈの直下に配置されている。
【００２６】
孔３５ｇ、３５ｈに係合部２４、２５を嵌め込むと、保持爪７４、７５は、係合爪２４ａ、２５ａに当接して、バネ７２、７３の弾性力に逆らって互いに近づく方向に移動する（図２参照）。この状態で更に光源部２をソケット３の方に押し込むと、保持爪７４、７５が、係合爪２４ａ、２５ａの頂部を乗り越えた時点で再びバネ７２、７３により互いに反対方向に付勢され、係合爪２４ａ、２５ａに係合する。これにより、光源部２が所定の向きでソケット３に装着される。一方、光源部２をソケット３から取り外す場合には、光源部２をソケット３から引き離すように引っ張れば、上記過程が逆の順序で起こって保持爪７４、７５と係合爪２４ａ、２５ａとの係合が解除される。このようにして、ソケット３は、光源部２を着脱可能に装着する。
【００２７】
図１１に示すように、上記のように構成されたソケット３を施工面Ｃにネジ３０でネジ止め固定する場合、ソケットボディ３５は、バネ３６によってソケットカバー３４（施工面Ｃ）から離れる方向に付勢されている。すなわち、ネジ３０は、バネ３６の付勢力に逆らいながらソケットボディ３５を施工面Ｃに押し付けるようにしてソケット３をネジ止め固定している。
【００２８】
ここで、施工面Ｃに段差Ｕがある場合には、ソケット３の装着面３Ａの高さが揃うように、ネジ３０の締め付け具合を調整してソケット３の厚みを調整する。このとき、ネジ３０がソケット３の中心に配置され、且つバネ３６の付勢力がソケット３の中心において釣り合っているので、装着面３Ａを施工面Ｃに対して平行に保つことができる。このようにして厚みを調整したソケット３に光源部２を装着することで、段差Ｕを埋めて施工面Ｃを均す作業を必要とすることなく、光源部２の光出射面２Ｂを面一にすることができる。
【００２９】
なお、図示していないが、本実施形態の照明器具でも、複数のソケット３を配置するときに配向部により互いに隣接するソケット３同士を接続すれば、ソケット３の向きを揃えることができる。しかしながら、本照明器具は、配向部を備えていなくても独立して実施が可能であり、配向部を備えていない場合であっても上述したような効果を与えることができる。
【００３０】
次に、上記実施形態の変形例に係る照明器具について図１２を参照して説明する。本照明器具は、上述した第２の実施形態に係る照明器具を基に、ソケット３の形状を変更したものである。本照明器具のソケット３は、ソケットボディ３５の内側面において厚み方向Ｚに沿って互いに並んで設けられ突起３４ａが係止する複数の係止部３７を有する。図例では、内側面の端部側から順に、３つの係止部３７ａ、３７ｂ、３７ｃが設けられている。突起３４ａは、係止部３７ａ、３７ｂ、３７ｃのいずれかに係止し、突起３４ａが係止部３７ａに係止した場合にはソケット３の厚みは最少となり、突起３４ａが係止部３７ｃに係止した場合にはソケット３の厚みは最大となる。このように、突起３４ａを係止部３７ａ、３７ｂ、３７ｃのいずれかに係止させることで、ソケット３の厚みを段階的に調整することができる。なお、このとき、上述したバネ３６は、設けられていてもよいし設けられていなくてもよい。
【００３１】
次に、本発明の第３の実施形態に係る照明器具について図１３乃至図１９を参照して説明する。なお、図例では、配向部の図示を省略している。上述したような照明器具１では、施工面に対する光源部２の向きは、施工面に固定されたソケット３の向きによって決定される。本実施形態の照明器具は、光源部２をソケット３に装着した後に、光源部２の向きを微調整することができるように構成されている。
【００３２】
図１３及び図１４に示すように、照明器具１１は、上述した照明器具１を基に、ソケット３の端子穴３５ｃ、３５ｄ、孔３５ｇ、３５ｈ並びに光源部２の陽極端子２２及び陰極端子２３、係合部２４、２５の形状を変更したものである。また、ソケット３は、ネジ３０が挿通される貫通穴３１に加えて、別のネジ３０ａが挿通される貫通穴３１ａを有する。貫通穴３１ａは、図例では、ソケット３の周縁部に設けられている。
【００３３】
図１５に示すように、ソケット３では、端子穴３５ｃ、３５ｄが、装着面３Ａの中心を中心とした半径ｒ１の第１の円Ｃ１に沿った長穴状に形成され、装着面３Ａの中心を挟むように配置されている。このように端子穴３５ｃ、３５ｄ（陽極受け部５及び陰極受け部６）を相対して配置することで、確実に陽極受け部５と陰極受け部６とを互いに絶縁し、また、ソケット３内における回路機器をバランス良く配置してソケット３の小型化を図ることができる。また、孔３５ｇ、３５ｈは、第１の円Ｃ１の同心円であり半径ｒ２の第２の円Ｃ２に沿った長穴状に形成され、装着面３Ａの中心を挟むように配置されている。なお、ｒ２は、図例ではｒ１より大きく構成されているが、ｒ１より小さく構成されていてもよい。
【００３４】
図１６に示すように、光源部２では、陽極端子２２及び陰極端子２３が、共に円柱状に形成され、取付面２Ａの中心を中心とした半径ｒ１の第１の円Ｃ１に沿って配置されている。また、係合部２４、２５は、取付面２Ａの中心を中心とした半径ｒ２の第２の円Ｃ２に沿った形状に形成されている。係合部２４、２５の係合爪２４ａ、２５ａは、図例では、外方に向かって伸びるように設けられている。
【００３５】
図１７に示すように、陽極受け部５は、端子穴３５ｃに沿った長尺状に形成され、端子穴３５ｃに挿通された陽極端子２２を挟持する一対の端子板５１を有する。ここで、上述のように、光源部２及びソケット３は、各々の中心が一致するようにして配置され、且つ陽極受け部５及び陽極端子２２は、共に第１の円Ｃ１に沿って設けられている。そのため、光源部２をソケット３に装着した後に光源部２をソケット３に対して回転させたとしても、陽極端子２２は陽極受け部５の端子板５１に沿って移動し、陽極端子２２と陽極受け部５との接続は維持される。なお、図示していないが、陰極受け部６も、陽極受け部５と同様に構成されている。
【００３６】
図１８（ａ）（ｂ）に示すように、ソケット３の保持爪７４は、孔３５ｇの直下に設けられている。ここで、孔３５ｇ及び係合部２４は、上述のように、共に第２の円Ｃ２に沿って設けられている。そのため、光源部２をソケット３に装着した後に光源部２をソケット３に対して回転させたとしても、係合爪２４ａは保持爪７４に沿って移動し、係合爪２４ａと保持爪７４との係合は維持される。なお、図示していないが、保持爪７５も、保持爪７４と同様に構成されている。
【００３７】
このように、照明器具１１では、光源部２をソケット３に装着した後に光源部２をソケット３に対して回転させても、陽極端子２２及び陰極端子２３と陽極受け部５及び陰極受け部６との接続、そして係合爪２４ａ、２５ａと保持爪７４、７５との係合が維持される。
【００３８】
図１９に示すように、このような照明器具１１を、例えば、光源部２が互いに隣接した状態でマトリクス状に配置する場合には、まず、施工面Ｃにおいて複数のソケット３を間隔Ｌ毎に配置した状態で、ソケット３をネジ３０で施工面Ｃに仮固定する。次いで、それぞれのソケット３を回転させて同じ向きとした後、ネジ３０ａによりソケット３を施工面Ｃに固定して、ネジ３０、３０ａによる二点止めでソケット３を本固定する。そして、本固定したソケット３に対して光源部２を装着すると、互いに隣接して配置された光源部２が得られる。
【００３９】
このとき、仮に一部のソケット３（ドットで示す）の向きが他のソケット３の向きに対してずれていたとすると、このようなソケット３に装着した光源部２（一点鎖線で示す）は、隣接する光源部２と干渉して、光源部２をマトリクス状に配置することができない。このような場合には、陽極端子２２及び陰極端子２３と陽極受け部５及び陰極受け部６（不図示）との接続並びに係合爪２４ａ、２５ａと保持爪７４、７５（不図示）との係合を維持したまま、光源部２をソケット３に対して回転させて光源部２の向きを微調整する。これにより、仮に施工面Ｃに固定されたソケット３の向きがずれていたとしても、光源部２を互いに隣接して配置することができる。
【００４０】
なお、図示していないが、照明器具１１でも、配向部により互いに隣接するソケット３同士を接続すればソケット３の向きを揃えることができ、また、ソケット３の厚みを変更できるように構成されている。しかしながら、照明器具１１は、配向部やソケット３の厚みを変更する構成を備えていなくても独立して実施が可能であり、このような構成を備えていない場合であっても上述した効果を与えることができる。
【００４１】
次に、上記実施形態の変形例に係る照明器具について図２０（ａ）（ｂ）を参照して説明する。なお、図例では、配向部の図示を省略している。本照明器具のソケット３では、陰極受け部６が、第１の円Ｃ１に沿った形状となっており、陽極受け部５が、第１の円Ｃ１及び第２の円Ｃ２の同心円である第３の円Ｃ３に沿った形状となっている。陽極受け部５及び陰極受け部６は、図２０（ａ）に示すように、ソケット３の中心を挟むように配置されていてもよいし、図２０（ｂ）に示すように、互いに隣接して配置されていてもよい。また、図示していないが、光源部２の陽極端子２２及び陰極端子２３も、陽極受け部５及び陰極受け部６に対応するように、それぞれ第３の円Ｃ３及び第１の円Ｃ１に沿って配置されている。
【００４２】
上記のように陽極受け部５及び陰極受け部６を配置することで、光源部２をソケット３に装着するときに、陽極端子２２は陽極受け部５とのみ接続可能となり、陰極端子２３は陰極受け部６とのみ接続可能となる。これにより、陽極端子２２及び陰極端子２３の極性を間違えて光源部２がソケット３に装着されるのを防止することができる。
【００４３】
次に、上記実施形態の別の変形例に係る照明器具について図２１（ａ）（ｂ）を参照して説明する。なお、図例では、配向部の図示を省略している。図２１（ａ）に示すように、本照明器具の光源部２は、陽極端子２２及び陰極端子２３に加えて、有機ＥＬ素子２１を調光制御する制御信号を伝達するための信号端子２６を有する。信号端子２６、陽極端子２２及び陰極端子２３は、第１の円Ｃ１に沿って、且つ取付面２Ａの中心を重心とする正三角形の各頂点にそれぞれ配置されている。また、図２１（ｂ）に示すように、本照明器具のソケット３は、陽極受け部５及び陰極受け部６に加えて、光源部２をソケット３に装着したときに信号端子２６と接続される信号受け部（端子受け部）８を有する。このように、光源部２に３極の端子２２、２３、２６が設けられている場合でも、これら端子２２、２３、２６をすべて第１の円Ｃ１に沿って設けることで、光源部２をソケット３に装着した後に光源部２をソケット３に対して回転可能とすることができる。
【００４４】
次に、本発明の第４の実施形態に係る照明器具について図２２乃至図２５を参照して説明する。なお、図例では、配向部の図示を省略している。上述したような照明器具１では、一つのソケット３に対して一つの光源部２が装着され、また、複数の照明器具１を互いに接続する場合には、ソケット３同士を各々のコネクタ３５ｅ、３５ｆを介して配電線により接続する必要がある。本実施形態の照明器具は、一つのソケット３に対して複数の光源部２を装着することができ、また、ソケット３同士を配電線で接続しなくても複数の照明器具を互いに接続することができるように構成されている。
【００４５】
図２２に示すように、本照明器具の光源部２では、陽極端子２２及び陰極端子２３が取付面２Ａの四隅に設けられている。一の隅に設けられた陽極端子２２及び陰極端子２３は、光源部２の対角線に沿って互いに隣接して配置され、一の隅に隣り合う隅に設けられた陽極端子２２及び陰極端子２３と配電線２７ａ、２７ｂにより接続されている。
【００４６】
図２３（ａ）乃至（ｃ）に示すように、本照明器具のソケット３は、ソケット３ａ、３ｂ、３ｃから成る。図２３（ａ）に示すように、ソケット３ａは、円板状に形成され、装着面３Ａに４対の端子穴３５ｃ、３５ｄを有する。一の対の端子穴３５ｃ、３５ｄは、ソケット３の半径方向に沿って互いに隣接して設けられ、且つ一の対に隣り合う対の端子穴３５ｃ、３５ｄとはソケット３ａの中心から見たときに９０度角度を隔てて配置されている。端子穴３５ｃ、３５ｄの直下には陽極受け部５及び陰極受け部６が配置され、陽極受け部５同士及び陰極受け部６同士は、それぞれ配電線３８ａ、３８ｂにより接続されている。また、ソケット３ａは、設置面３Ｂの周縁部に取付台９（後述参照）への取り付けに用いられる複数の凹部３９を有する。
【００４７】
また、図２３（ｂ）に示すように、ソケット３ｂは、上述したソケット３ａを基に、２対の端子穴３５ｃ、３５ｄをソケット３ｂの中心から見たときに互いに１８０度角度を隔てて設けたものである。更に、図２３（ｃ）に示すように、ソケット３ｃは、上述したソケット３ａを半円状にしたものであり、２対の端子穴３５ｃ、３５ｄは、それぞれソケット３ｃの各半径から４５度角度を隔てて設けられている。
【００４８】
図２４に示すように、上記のように構成された複数の光源部２は、ソケット３ａ、３ｂ、３ｃを介して互いに並列に接続される。ソケット３ａ、３ｂ、３ｃは、それぞれの中心が光源部２の角と一致するようにして配置される。ソケット３ａは、例えば、２ｘ２のマトリクス状に配置された４つの光源部２同士やＬ字状に配置された３つの光源部２同士を接続するのに用いられる。ソケット３ｂは、角のみを介して互いに隣接した２つの光源部２同士を接続するのに用いられる。また、ソケット３ｃは、一辺を介して互いに隣接した２つの光源部２同士を接続するのに用いられる。なお、図例では、光源部２の係合部及びソケット３の保持部の図示を省略している。係合部は、例えば、取付面２Ａの四隅において陽極端子２２及び陰極端子２３に隣接して設けられ、保持部は、端子穴３５ｃ、３５ｄに隣接して陽極端子２２及び陰極端子２３に対応する位置に設けられる。
【００４９】
上記のように、ソケット３ａ、３ｂ、３ｃによれば、一つのソケット３で複数の光源部２を装着することができる。また、ソケット３ａ、３ｂ、３ｃは、光源部２を介して互いに接続されるので、ソケット３同士を配電線で接続しなくても複数の照明器具を互いに接続することができる。なお、陽極端子２２及び陰極端子２３は、必ずしも取付面２Ａの四隅に設けられている必要はなく、少なくとも取付面２Ａの二隅に設けられていればよい。
【００５０】
なお、図示していないが、本実施形態の照明器具でも、配向部により互いに隣接するソケット３同士を接続すればソケット３の向きを揃えることができ、また、ソケット３の厚みを変更できるように構成されている。しかしながら、本照明器具は、配向部やソケット３の厚みを変更する構成を備えていなくても独立して実施が可能であり、このような構成を備えていない場合であっても上述した効果を与えることができる。
【００５１】
図２５に示すように、本照明器具は、ソケット３が取り付けられる取付台９を更に備えていてもよい。取付台９は、ソケット３ａ、３ｂ、３ｃの凹部３９に嵌り込む複数の凸部９１から成る取付部９２を有し、凸部９１が凹部３９に嵌り込むことでソケット３ａ、３ｂ、３ｃを着脱可能に保持する。取付部９２は、光源部２の一辺の長さであるＬ毎に設けられている。このような取付台９を設けることで、予め取付部９２にソケット３ａ、３ｂ、３ｃを所定の配置パターンで取り付け、次いで、ソケット３ａ、３ｂ、３ｃに光源部２を装着した後、取付台９ごと照明器具を施工面に取り付けることができる。これにより、照明器具の施工面への設置が簡単になり、作業性を向上させることができる。
【００５２】
なお、本発明に係る照明器具は、上記実施形態及びその変形例に限定されず種々の変形が可能である。例えば、光源部の光源は、必ずしも有機ＥＬ素子に限定されず、ＬＥＤや蛍光灯であってもよい。また、光源部の形状は、平面視正方形状に限定されず、例えば、長尺矩形状や六角形状であってもよい。更に、紐部は、必ずしも弾性を有する必要はない。
【符号の説明】
【００５３】
１、１１  照明器具
２  光源部
２２  （陽極）端子
２３  （陰極）端子
２６  （信号）端子
２Ａ  取付面
３、３ａ、３ｂ、３ｃ  ソケット
３０  ネジ
３２、３３  （ソケット側部の相対する）二端部
３４  ソケットカバー
３４ａ  突起
３５  ソケットボディ
３６  バネ
３７、３７ａ、３７ｂ、３７ｃ  係止部
３Ａ  装着面
３Ｂ  設置面
４１、４２、４３、４４  配向部
４１ａ、４２ａ、４３ａ、４４ａ  紐部
４１ｂ、４２ｂ、４３ｂ、４４ｂ  接続部
５  陽極受け部（端子受け部）
６  陰極受け部（端子受け部）
８  信号受け部（端子受け部）
９  取付台
Ｃ１  第１の円
Ｚ  （ソケットの）厚み方向
【図１】
2016058202.tif 000003
【図２】
2016058202.tif 000004
【図４】
2016058202.tif 000005
【図５】
2016058202.tif 000006
【図７】
2016058202.tif 000007
【図８】
2016058202.tif 000008
【図９】
2016058202.tif 000009
【図１０】
2016058202.tif 000010
【図１２】
2016058202.tif 000011
【図１３】
2016058202.tif 000012
【図１４】
2016058202.tif 000013
【図１５】
2016058202.tif 000014
【図１６】
2016058202.tif 000015
【図１７】
2016058202.tif 000016
【図１８】
2016058202.tif 000017
【図２０】
2016058202.tif 000018
【図２１】
2016058202.tif 000019
【図２２】
2016058202.tif 000020
【図２３】
2016058202.tif 000021
【図２４】
2016058202.tif 000022
【図２５】
2016058202.tif 000023
【図３】
2016058202.tif 000024
【図６】
2016058202.tif 000025
【図１１】
2016058202.tif 000026
【図１９】
2016058202.tif 000027